【手続補正書】
【提出日】平成18年6月22日(2006.6.22)
【手続補正１】
【補正対象書類名】明細書
【補正対象項目名】特許請求の範囲
【補正方法】変更
【補正の内容】
【特許請求の範囲】
【請求項１】
ＭＲ撮像パルスシーケンス及び再構成の方法であって、
第１のサジタル・ボリューム（Ｒ）を特定するステップと、
前記第１のサジタル・ボリューム（Ｒ）から画像を収集するために１つまたは複数のＲＦコイル素子（ＲＦ１、ＲＦ２）を設けるステップと、
第２のサジタル・ボリューム（Ｌ）を特定するステップと、
前記第２のサジタル・ボリューム（Ｌ）から画像を収集するために１つまたは複数のＲＦコイル素子（ＲＦ３、ＲＦ４）を設けるステップと、
第１ボリューム用素子（ＲＦ１、ＲＦ２）が第１のボリューム（Ｒ）のみから信号を受け取り、かつ第２ボリューム用素子（ＲＦ３、ＲＦ４）が第２のボリューム（Ｌ）のみから信号を受け取るように前記ＲＦコイルを十分にデカップリングさせるステップと、
ＭＲ信号を再構成するステップと、を含むと共に、
第１のボリューム（Ｒ）だけに対応した画像と第２のボリューム（Ｌ）だけに対応した画像とを再構成しているような方法。
【請求項２】
ＲＦコイルをデカップリングさせる前記ステップの前に、
第１のスペクトル−空間ＲＦパルスを用いて第１のサジタル・ボリューム（Ｒ）内の脂肪組織からの磁化（４０）を選択的に反転させるステップと、
第２のスペクトル−空間ＲＦパルス（６２）を用いて第２のサジタル・ボリューム（Ｌ）内の脂肪組織からの磁化（３０）を選択的に反転させるステップと、
脂肪組織の縦磁化を回復させるステップと、
を含む請求項１に記載の方法。
【請求項３】
前記縦磁化回復のステップの後に、
一連のアルファ・パルス（６４）を送出するステップと、
傾斜エコー（５０）を位相エンコードして収集するステップと、
を含む請求項１に記載の方法。
【請求項４】
独立に規定した複数のボリュームからＭＲ撮像データを同時に収集する方法であって、
第１のサジタル・ボリューム（Ｒ）を特定するステップと、
前記第１のサジタル・ボリューム（Ｒ）から画像を収集するためにＲＦコイル（ＲＦ１、ＲＦ２）を設けるステップと、
第２のサジタル・ボリューム（Ｌ）を特定するステップと、
前記第２のサジタル・ボリューム（Ｌ）から画像を収集するためにＲＦコイル（ＲＦ３、ＲＦ４）を設けるステップと、
第１ボリューム用コイル（ＲＦ１、ＲＦ２）が第１のボリューム（Ｒ）のみから信号を受け取り、かつ第２ボリューム用コイル（ＲＦ３、ＲＦ４）が第２のボリューム（Ｌ）のみから信号を受け取るように前記ＲＦコイルを十分にデカップリングさせるステップと、
ＭＲ信号を再構成するステップと、を含むと共に、
第１のボリューム（Ｒ）だけに対応した画像と第２のボリューム（Ｌ）だけに対応した画像とを再構成しているような方法。
【請求項５】
ＲＦコイルをデカップリングさせる前記ステップの前に、
第１のスペクトル−空間ＲＦパルスを用いて第１のサジタル・ボリューム（Ｒ）内の脂肪組織からの磁化（４０）を選択的に反転させるステップと、
第２のスペクトル−空間ＲＦパルス（６２）を用いて第２のサジタル・ボリューム（Ｌ）内の脂肪組織からの磁化（３０）を選択的に反転させるステップと、
脂肪組織の縦磁化を回復させるステップと、
を含む請求項４に記載の方法。
【請求項６】
前記縦磁化回復のステップの後に、
一連のアルファ・パルス（６４）を送出するステップと、
傾斜エコー（５０）を位相エンコードして収集するステップと、
を含む請求項５に記載の方法。
【請求項７】
ＭＲイメージング中に患者（１０）の高分解能サジタル・ボリュームを同時収集するための方法であって、
各サジタル・ボリューム（Ｌ、Ｒ）を特定するステップと、
前記サジタル・ボリューム（Ｌ、Ｒ）の各々から画像を収集するためにＲＦコイル（ＲＦ１、ＲＦ２、ＲＦ３、ＲＦ４）を設けるステップと、
ある特定のコイルが対応したボリュームからのみ信号を受け取るように、ＲＦコイル（ＲＦ１、ＲＦ２、ＲＦ３、ＲＦ４）を十分にデカップリングさせるステップと、
ＭＲ信号を再構成するステップと、を含むと共に、
各ボリューム（Ｌ、Ｒ）に対応する画像を再構成しているような方法。
【請求項８】
ＲＦコイルをデカップリングさせる前記ステップの前に、
スペクトル−空間ＲＦパルスを連続して用いて各サジタル・ボリューム内の脂肪組織からの磁化を選択的に反転させるステップと、
脂肪組織の縦磁化を回復させるステップと、
を含む請求項７に記載の方法。
【請求項９】
乳房ボリューム（Ｌ、Ｒ）、頚動脈、肩関節、股関節、顎関節、分離した検体、任意の臨床タイプの複数の標本を含むことがあるような２つのサジタル・ボリュームに対して同時に実施されている患者（１０）からのＭＲ撮像データ収集のための方法であって、
第１のサジタル・ボリューム（Ｒ）を特定するステップと、
前記第１のサジタル・ボリューム（Ｒ）から画像を収集するためにＲＦコイル（ＲＦ１、ＲＦ２）を設けるステップと、
第２のサジタル・ボリューム（Ｌ）を特定するステップと、
前記第２のサジタル・ボリューム（Ｌ）から画像を収集するためにＲＦコイル（ＲＦ３、ＲＦ４）を設けるステップと、
第１ボリューム用コイル（ＲＦ１、ＲＦ２）が第１のボリューム（Ｒ）のみから信号を受け取り、かつ第２ボリューム用コイル（ＲＦ３、ＲＦ４）が第２のボリューム（Ｌ）のみから信号を受け取るように前記ＲＦコイルを十分にデカップリングさせるステップと、
ＭＲ信号を再構成するステップと、を含むと共に、
第１のボリューム（Ｒ）だけに対応した画像と第２のボリューム（Ｌ）だけに対応した画像とを再構成しているような方法。
【請求項１０】
乳房ボリューム（Ｌ、Ｒ）、頚動脈、肩関節、股関節、顎関節、分離した検体、任意の臨床タイプの複数の標本を含むことがあるような２つのサジタル・ボリュームに対して同時に実施されている患者（１０）からのＭＲ撮像データ収集のための方法であって、
第１のサジタル・ボリューム（Ｒ）を特定するステップと、
前記第１のサジタル・ボリューム（Ｒ）から画像を収集するために１つまたは複数のＲＦコイル素子（ＲＦ１、ＲＦ２）を設けるステップと、
第２のサジタル・ボリューム（Ｌ）を特定するステップと、
前記第２のサジタル・ボリューム（Ｒ）から画像を収集するために１つまたは複数のＲＦコイル素子（ＲＦ１、ＲＦ２）を設けるステップと、
第１のスペクトル−空間ＲＦパルス（６２）を用いて第１のサジタル・ボリューム（Ｒ）内の脂肪組織からの磁化を選択的に反転させるステップと、
第２のスペクトル−空間ＲＦパルス（６２）を用いて第２のサジタル・ボリューム（Ｌ）内の脂肪組織からの磁化を選択的に反転させるステップと、
脂肪組織の縦磁化（３０、４０）を回復させるステップと、
第１ボリューム用素子（ＲＦ１、ＲＦ２）が第１のボリューム（Ｒ）のみから信号を受け取り、かつ第２ボリューム用素子（ＲＦ３、ＲＦ４）が第２のボリューム（Ｌ）のみから信号を受け取るように前記ＲＦコイルを十分にデカップリングさせるステップと、
ＭＲ信号を再構成するステップと、を含むと共に、
第１のボリューム（Ｒ）だけに対応した画像と第２のボリューム（Ｌ）だけに対応した画像とを再構成しているような方法。
【手続補正２】
【補正対象書類名】明細書
【補正対象項目名】０００５
【補正方法】変更
【補正の内容】
【０００５】
複数のボリュームを関心対象とする場合で造影剤注入に続いて造影剤を用いた臨床検査をするには、現在利用可能な３次元傾斜エコー技法では、ボリュームを順次撮像すること、あるいはこれらの領域全部を包含するような十分に大きなボリュームを指定することが必要となる。第１の選択肢では、各ボリュームに対して異なる造影剤特性が生じると共に、より後から収集したボリュームで重要な初期造影剤取り込み情報が失われる可能性がある。第２の選択肢では、検査の空間分解能が損なわれると共に、関心領域が互いに接近していない場合に非効率なデータ収集方法となる。さらに、造影剤が取り込まれた部位の明瞭度を向上させるために脂肪からの信号の抑制が必要となることが多いため、より大きなボリュームを使用すると、主磁場補正技法の有効性が大きなボリュームでは下がるため脂肪抑制が通常損なわれることになる。
【特許文献１】米国特許第５８０４９６９号